(57)【要約】  中央の透明部分を有するプレートと、デカールのデザインがプレートの中央の透明部分を通して見えるように、中央の透明な部分においてプレートの下側と選択的に結合するように構成されたデカールとを含むカスタマイズ可能なプレートシステム。デカールが取り外し可能であり、この結果、デカールを異なるデカールで置き換えることができる。デカールは、プレートに貼り付けられたデカールのデザインが、周囲の装飾および／または機会に合うことができるように選択することができる。
2016520392.tif 000002
【特許請求の範囲】
【請求項１】
カスタマイズ可能な食器システムであって、
略透明な領域を有する皿と、
デザインを表示する上面を有するデカールとを備え、
前記デカールの前記上面が、前記略透明な領域において前記皿の下側と選択的にかつ取り外し可能に結合し、前記デザインが前記皿の上側から前記略透明な領域を通して見ることができるように構成されるカスタマイズ可能な食器システム。
【請求項２】
前記略透明な領域が前記皿の部分内に略配置される、請求項１に記載のシステム。
【請求項３】
前記皿の前記部分が前記皿の中央部分である、請求項２に記載のシステム。
【請求項４】
前記皿の前記部分が前記皿の周辺部分である、請求項２に記載のシステム。
【請求項５】
前記デカールの前記上面に貼り付けられる非永続的な再配置可能な接着剤物質をさらに備える、請求項２に記載のシステム。
【請求項６】
前記デカール用の収納装置をさらに備える、請求項５に記載のシステム。
【請求項７】
前記収納装置が、ポートフォリオ、財布、蓋付き容器、アルバム、外装およびフォルダーからなる群から選択される、請求項６に記載のシステム。
【請求項８】
前記皿が、プレート、大皿、ボウルおよび飲料容器からなる群から選択される、請求項１に記載のシステム。
【請求項９】
カスタマイズ可能な食器システムを用意する方法であって、
異なる皿の選択を提供するステップと、
異なる予め作られたデザインを有するデカールの選択を提供するステップと、
前記予め作られたデザインを修正するための第１のオプションを提供するステップと、
カスタムデザインを生成するための第２のオプションを提供するステップと、
少なくとも１つのデカール用の注文を受けるステップと、
前記注文を実行するステップとを含む方法。
【請求項１０】
前記カスタムデザインを生成するための前記第２のオプションが、デザイン要素をアップロードするための第３のオプションをさらに含む、請求項９に記載の方法。
【請求項１１】
前記システムが、サーバで実行するウェブサイトである、請求項９に記載の方法。
【請求項１２】
前記注文が、倉庫から発送することによって実行される、請求項９に記載の方法。
【請求項１３】
前記注文が、オンデマンド製造によって実行される、請求項９に記載の方法。
【請求項１４】
前記注文が収納装置で発送される、請求項１２に記載の方法。
【請求項１５】
前記注文が貼付けツールを含む、請求項１０に記載の方法。
【発明の詳細な説明】
【技術分野】
【０００１】
関連出願の相互参照
本出願は、２０１３年５月３１日に出願された以前に出願された米国仮出願第６１８２９９２４号明細書からの優先権の利益を主張し、この出願の全体は、参照により本出願に組み込まれている。
【０００２】
本発明の開示は、カスタマイズ可能な食器、特に、取り外し可能なおよび／または再使用可能なデカールおよびデザイン用の透明な空間を有するカスタマイズ可能なプレートに関する。
【背景技術】
【０００３】
消費者が、休日、誕生日、結婚式、ディナーパーティ、または他のイベントのためにテーブルを飾ることは普通の慣習である。頻繁に、人々は、季節の色およびテーマまたは部屋の装飾を合わせようとするか、あるいは特別な機会のためにまたは「なんとなく」装飾する。テーブルを装飾する部分は、食器、例えばプレートを選択することを含むことができる。
【０００４】
一般に、消費者は、キャビネット空間の欠如、限定された可処分所得、または限定されたデザインオプションのため、欲するプレートのすべてを有することはできない。例えば、日常の食器に加えてハロウィーン、感謝祭、クリスマス用のテーブル装飾を得ようと望んだ場合、各々の設置に多くの時間をかけ、限定された居住空間の収納にそれらを保管しようと奮闘するであろう。消費者が広大なキャビネット空間、無制限の資金、および消費者が所望するであろうデザインのすべてを有したとしても、消費者は、めったに使用しないため購入を正当化するのが難しいと感じるであろう。
【０００５】
さらに、総じて、パーティーの立案者は、収納空間が限定されるため、彼らが編成するイベントに対してテーブルデザインのオプションは非常に限定される。個人化が最近流行っているため、パーティーの立案者は、費用効果的に顧客の必要を満たすことができない。様々な色およびテーマを含むデザインのため、多くの異なる外見のプレートを維持しかつ保管することは、パーティーの立案者にとって問題であり得る。限定された色およびテーマに加えて、パーティーの立案者はまた、個人向けのテーブル設定（例えば、パーティーの立案者が企画を支援する花嫁および花婿の写真を有するプレート）を手元に有することができず、すべてのイベントのためにそれらを保管することはできない。収納空間と共に、個人向けのプレート当たりのコストは非常に高い。個人向けの設定は、多くの場合、消費者に何千か何百もの費用をかけて終わることになるであろう。全般的に見て、このことは、大部分の消費者にとって高価すぎるであろう。
【０００６】
特定のイベントのために適切であり得る個人向けのデザインによる紙プレートが利用可能である。しかし、デザインオプションは限定され、大量に購入しなければならないことが多い。デザインがイベントに合い、個人化を達成することができるとしても、特に特別なイベント、例えば結婚式、洗礼およびバルミツバー／バトミツバーにおいて、大部分の人々がより高品質のプレートの使用を好むであろうことを指摘できるであろう。また、使い捨て可能なプレートを環境的に優しくないと考えるかもしれない人もいる。紙プレートは、概して底部が「高温になり」、プレートの上部の画像／写真に「切り込む」ことを望まないであろう人もいる。さらに、食物の安全性に対する懸念があり得る。
【０００７】
個人的なデザイン、写真および／またはカスタマイズしたテキストでプレートをカスタマイズすることも望ましい可能性がある。例えば、赤ちゃんの最初の誕生日は内祝いの名目であろう。しかし、例えば、招待客が３０人の誕生会では、出席者全員にメラミン焼成のプレートを購入することは高価すぎるであろうし、紙プレートは、インクによる食物の安全性に対する最優先事項、写真に切り「込む」および「高温の」底部に対する個人的な懸念を伴い、これらはそれ自体、他の安全性の懸念をもたらす可能性がある。
【０００８】
必要なものは、透明な中央部分を有するプレートと、デカールのデザインがプレートの透明な中央部分を通して見えるようにプレートの透明な中央部分の下側に選択的にかつ取り外し可能に貼り付けることができるデカールとを備えるカスタマイズ可能な食器システムである。
【図面の簡単な説明】
【０００９】
【図１ａ】略円形の形状を有する本発明の装置の実施形態の平面図である。
【図１ｂ】略正方形の形状を有する本発明の装置の実施形態の平面図である。
【図１ｃ】図１ａに示した実施形態の側面図である。
【図２】デカールの実施形態の平面である。
【図３】プレートの下側に貼り付けられるデカールの実施形態の図面である。
【図４】貼付けツールを使用してプレートの下側に貼り付けられるデカールの実施形態の図面である。
【図５】プレートの中心の略透明な部分を通してデカールのデザインを見ることができるように、プレートの下側に貼り付けられたデカールを有する略円形のプレートの実施形態の平面図である。
【図６】プレートの下側に選択的に貼り付けることができる複数のデカールの図面である。
【図７】本発明の装置用のデカール用の収納容器の実施形態の図面である。
【図８ａ】ボウル用の本発明の装置の他の実施形態の図面である。
【図８ｂ】飲料容器用の本発明の装置の他の実施形態の図面である。
【図９】プレートおよび／またはデカールをユーザに提供する方法の図面である。
【発明を実施するための形態】
【００１０】
図１ａは、本発明の装置の皿の一実施形態の平面図を示している。ある実施形態では、皿は、略円形の形状を有することができるプレート１００であることができる。他の実施形態では、プレート１００は、略長方形の形状、例えば図１ｂに示したように略正方形を有することができる。しかし、他の実施形態では、プレート１００は、略楕円、八角形、あるいは他の任意の公知のおよび／または便利な形状を有することができる。ある実施形態では、プレートは、ポリマー、ガラス、あるいは他の任意の公知のおよび／または便利な材料から製作することができる。
【００１１】
ある実施形態では、プレート１００は、その縁部においてリム１０４または周囲部分１０４によって取り囲まれた略平坦な中央部分１０２を有することができる。図１ｃの側面図に示したように、リム１０４は僅かな湾曲を有し、略平坦な中央部分１０２の平面の上に隆起することができるが、他の実施形態では、略平坦、畝状、スカラップ状であるか、あるいは他の任意の公知のおよび／または便利な構造を有することができる。ある実施形態では、リム１０４の表面は、中央部分１０２に対して斜めにすることができる。図１ｃに示したように、リム１０４は、略平坦な中央部分１０２の平面の上に約３０度隆起させることができるが、他の実施形態では、他の任意の公知のおよび／または便利な角度を有することができる。
【００１２】
プレート１００は、少なくとも１つの略透明な領域１０６を有することができる。ある実施形態では、プレート１００の略全体は略透明であることができる。代替実施形態では、中央部分１０２は、略透明な領域１０６であることができ、中央部分１０２を取り囲むリム１０４は、略不透明、略半透明および／または透明であることができる。他の実施形態では、リム１０４の部分または略全体は、略または全体的に透明であることができる。プレート１００の略透明な領域１０６は、ガラス、プラスチック、あるいは他の任意の公知のおよび／または便利な略透明のまたは半透明の材料から製作することができる。
【００１３】
図２はデカール２００を示している。デカール２００は、上面および下面を有する基材を有することができる。ある実施形態では、図２に示したように、デカール２００は、略透明な領域１０６と略同一の形状を有することができるが、他の実施形態では、他の任意の公知のおよび／または便利な形状を有することができる。デカール２００は、ビニル、フィルム、プラスチック、紙、あるいは他の任意の公知のおよび／または便利な材料から製作することができる。デカール２００の上面は、デザイン２０２を表示することができる。デザイン２０２は、他の任意の公知のおよび／または便利な方法によって、デカール２００の上にプリント、ペイント、描画、エッチング、またはさもなければ蒸着することができる。デザイン２０２は、テキスト、絵、パターン、形状、色、ロゴ、あるいは他の任意の公知のおよび／または便利なデザイン要素を含むことができる。ある実施形態では、デザイン２０２は、誕生日を祝う人の写真および名前、クリスマスシーンを表示する休日デザイン、テーブルクロスまたは他のテーブルリネンのパターンに合うことができるパターン、あるいは他の任意の公知のおよび／または便利なデザインであることができる。ある実施形態では、ユーザは、予め選択したデザイン２０２を有することができる事前製作したデカール２００を購入または獲得することができる。他の実施形態では、デカール２００は、ユーザによってカスタムデザイン２０２でカスタマイズすることができる。
【００１４】
デカール２００の上面は、略透明な部分１０６においてプレート１００の下側と選択的にかつ取り外し可能に結合されるように構成することができる。図２に示したように、略透明な部分１０６は、プレート１００の中央部分１０２を通してデザイン２０２を見ることができるように、プレート１００の中央部分１０２であることができる。ある実施形態では、デカール２００がプレート１００の下側に固着することを可能にする非永続的な再配置可能な接着剤２０４をデカールの上側に貼り付けることができる。他の実施形態では、デカール２００は、静電気を通してプレート１００の下側に取り外し可能に取り付けることができる材料から製作することができる。代替実施形態では、デカール２００は、デカール２００および／またはプレート１００の磁石、スナップ、クリップ、あるいは他の任意の公知のおよび／または便利な接続機構により、プレート１００の下側と結合することができる。
【００１５】
ある実施形態では、図３および図４に示したように、デカール２００は、プレート１００の略透明な領域１０６に選択的に貼り付けることができる。使用時、ユーザは、プレート１００の略透明な領域１０６において、デカール２００の上面をプレート１００の下側に直接結合することができる。図３の実施形態に示したように、ユーザは、デカール２００を、デカールの取り外し可能な接着剤物質２０４を使用して、プレート１００の中央部分１０２であることができる略透明な領域１０６の下側に貼り付けることができる。図４に示したように、ユーザは、貼付けツール４００、例えばスクイージー、フラットエッジカード、あるいは他の任意の公知のおよび／または便利な器具を使用して、デカール２００の略上面全体がプレート１００の下側に直接接するように、デカール２００とプレート１００との間のしわまたは空気泡を押し出すことができる。
【００１６】
図５に示したように、デカール２００がプレート１００の下側に貼り付けられた後、プレート１００を上から見たとき、デカール２００の上側のデザイン２０２をプレート１００の略透明な領域１０６を通して見ることができる。プレート１００を使用して、食物がデカール２００に触れずに食物を表示するかまたはサービスすることができる。というのも、デカール２００は、食物と接触するプレート１００の上側よりもむしろ、プレート１００の下側にあることができるからである。
【００１７】
ユーザは、任意の時間にデカール２００を取り除き、および／またはデカール２００を、異なるデザイン２０２（例えば図６に示したデカール２００ａ〜２００ｄの実施形態）を有する異なるデカール２００に置き換えることを選ぶことができる。ある実施形態では、ユーザは、異なる状況のためにデザイン２０２を有する異なるデカール２００の選択を行うことができ、全部のプレート１００を置き換える必要なしにプレート１００をカスタマイズするためにデカール２００を選択して、置き換えることができ、これによって、収納空間および各々の機会のために異なるデザインを有する新しいプレートを購入する出費が節約される。
【００１８】
デカール２００は、任意の時間にプレート１００から取り除くことができる。プレート１００が食器洗い機で洗浄されるべきとき、ユーザは、プレート１００からデカール２００を取り除くことができる。しかし、ある実施形態では、ユーザは、手でプレート１００の上側を洗浄するとき、デカール２００をプレート１００に保持することを選ぶことができるが、この理由は、デカール２００がプレート１００の下側にあるからである。
【００１９】
図７に示したように、プレート１００と現在結合されていないデカール２００は、収納装置７００に保管することができる。ある実施形態では、収納装置７００はポートフォリオであることができるが、他の実施形態では、財布、ふた付きの容器、フォルダー、アルバム、本、外装、あるいは他の任意の公知のおよび／または便利な容器であることができる。ある実施形態では、収納装置７００は、プレート１００の略透明な部分の材料と同様の材料から製作することができる複数のページ７０２を有することができる。ユーザは、上述のように、デカール２００をプレート１００に貼り付ける方法と同様の方法で、デカール２００をページ７０２と選択的に結合することができる。任意の時間にデカール２００をプレート１００に貼り付けるために、ユーザが収納装置７００からデカール２００を取り除くオプションを有するように、デカール２００をページ７０２に結合して、デカール２００を保管することができる。
【００２０】
図８ａは、皿がボウル８００であることができる本発明の装置の他の実施形態を示している。そのような実施形態では、ボウル８００は、図８ａに示したように、中央の底部部分８０２であることができる略透明な部分１０６を有することができる。他の実施形態では、略透明な部分１０６は、ボウル８００の壁部８０４であることができる。
【００２１】
図８ｂは、皿が飲料容器８０６であることができる本発明の装置の他の実施形態を示している。図８ｂに示したように、飲料容器８０６はジョッキであることができ、その中央基部部分において略透明な部分１０６を有することができる。他の実施形態では、飲料容器８０６は、ステムグラスまたはステムなしワイングラス、タンブラー、カクテルガラス、トールドリンクグラス、あるいは他の任意の公知のおよび／または便利な構造であることができる。なお別の実施形態では、皿は、食物および／または液体を提供および／または保持することができる大皿および／または他の任意の公知のおよび／または便利な他の装置であることができる。
【００２２】
図９は、プレート１００および／または予め作られたまたはカスタムデカール２００をユーザーに提供する方法を示している。９０２で、システム、例えばサーバ上で運営するウェブサイトは、１つまたは複数のプレート１００および／または１つ以上の異なる皿の注文を受けることができる。システムは、注文に利用可能な異なるプレート１００、例えば図１ａに示した略円形のプレート１００および図１ｂに示した略正方形のプレート１００の選択を有することができる。プレートはまた、カラーリムを有することができおよび／または使い捨て可能であることができる。
【００２３】
９０４で、システムは、１つまたは複数のデカール２００の注文を受けることができる。システムは、注文に利用可能な異なる予め作られたデザイン２０２を有するデカール２００の選択を有することができる。ある実施形態では、システムはまた、あるいは代わりに、ユーザ用のオプションを表示して、ユーザによってカスタマイズされたデザインおよび／または予め作られたデザイン２０２のユーザの修正によるデカール２００を生成しかつ注文することができる。システムは、テキスト、色、写真、形状、パターン、あるいは他の任意の公知のおよび／または１つまたは複数の便利なデザイン要素２０２をアップロードし、入力するかまたはカスタマイズするオプションを有することができる。
【００２４】
９０６で、プレート１００および／またはデカール２００のユーザの注文は、オンデマンド製造／生産および／または事前製造し／予め作り、実行しおよびユーザに提供することができる。ある実施形態では、予め作られたデザイン２０２を有する注文されたデカール２００は、倉庫から発送することができる。他の実施形態では、デカール２００は、注文時に要求に応じて製造することができる。ある実施形態では、注文されたデカール２００は、ユーザが発注した後に、ユーザが選択したまたはユーザがカスタマイズしたデザイン２０２でプリントすることができる。ある実施形態では、デカール２００を収納装置７００、例えば図７に示したポートフォリオでユーザに発送することができ、および／または貼付けツール２０６をユーザの注文と共に含めることができる。
【００２５】
本発明について、その特定の実施形態と関連して説明してきたが、明らかに、多くの代替、修正および変形が当業者には明白であろう。したがって、説明しかつ以下に請求した本発明は、添付の特許請求の範囲の精神および広範な範囲に含まれるそのようなすべての代替、修正および変化を包含するように意図される。
【図１ａ】
2016520392.tif 000003
【図１ｂ】
2016520392.tif 000004
【図１ｃ】
2016520392.tif 000005
【図２】
2016520392.tif 000006
【図３】
2016520392.tif 000007
【図４】
2016520392.tif 000008
【図５】
2016520392.tif 000009
【図６】
2016520392.tif 000010
【図７】
2016520392.tif 000011
【図８ａ】
2016520392.tif 000012
【図８ｂ】
2016520392.tif 000013
【図９】
2016520392.tif 000014
【国際調査報告】
2016520392.tif 000015
2016520392.tif 000016
2016520392.tif 000017